(57)【要約】【課題】立体画像表示において階調性を向上させ且つクロストークを低減する。【解決手段】画素部において、左眼用画像を表示する第１画素Ａと右眼用画像を表示する第２画素Ｂとは、行方向及び列方向に交互に配置されている。駆動回路は、第１単位期間Ｔ１及び前記第２単位期間Ｔ２において、第１画素Ａに左眼用画像の階調に応じたデータ電位を第２画素Ｂに黒電位を書き込む。第３単位期間Ｔ３及び第４単位期間Ｔ４において、第２画素Ｂに右眼用画像の階調に応じたデータ電位を第１画素Ｂに黒電位を書き込む。【選択図】図５
2014048552.tif 000002
【特許請求の範囲】
【請求項１】
右眼用シャッターと左眼用シャッターとを含む立体視用眼鏡で立体視される右眼用画像及び左眼用画像を表示する液晶表示装置であって、
複数の走査線と、
前記複数の走査線に交差する複数のデータ線と、
前記複数の走査線と前記複数のデータ線との各交差に対応して配置された複数の画素と、
前記複数の走査線を選択して、前記複数のデータ線にデータ電位を供給する駆動回路とを備え、
前記複数の画素の各々は、第１電極と、第２電極と、前記第１電極と前記第２電極との電位差によって駆動される液晶とを備え、
前記複数の画素は、前記左眼用画像と前記右眼用画像とのうち一方を表示する第１画素と、前記左眼用画像と前記右眼用画像とのうち他方を表示する第２画素からなり、前記第１画素と前記第２画素とは、行方向又は列方向のうち少なくとも一方において交互に配置されており、
前記駆動回路は、
第１単位期間及び前記第１単位期間より後の第２単位期間において、前記複数のデータ線を介して前記第１画素に前記右眼用画像と前記左眼用画像とのうち一方の画像の階調に応じたデータ電位を書き込み、前記第２画素に所定の透過率に応じたデータ電位を書き込み、
前記第２単位期間より後の第３単位期間及び前記第３単位期間より後の第４単位期間において、前記複数のデータ線を介して前記第２画素に前記右眼用画像と前記左眼用画像とのうち他方の画像の階調に応じたデータ電位を書き込み、前記第１画素に前記所定の透過率に応じたデータ電位を書き込む、
ことを特徴とする液晶表示装置。
【請求項２】
前記第１画素と前記第２画素とは、行方向において交互に配置されており、且つ列方向において交互に配置されている、ことを特徴とする請求項１に記載の液晶表示装置。
【請求項３】
前記所定の透過率に応じたデータ電位は、黒を表示させる電位又は透過率５０％に相当する電位であることを特徴とする請求項１又は２に記載の液晶表示装置。
【請求項４】
右眼用シャッターと左眼用シャッターとを含む立体視用眼鏡で立体視される右眼用画像及び左眼用画像を表示する液晶表示装置であって、
前記第１単位期間において、前記右眼用シャッターと左眼用シャッターとを閉状態とし、
前記第２単位期間において、前記右眼用シャッターと左眼用シャッターとのうち、前記第１画素で表示する画像に対応するシャッターを開状態とし、前記第２画素で表示する画像に対応するシャッターを閉状態とし、
前記第３単位期間において、前記右眼用シャッターと左眼用シャッターとを閉状態とし、
前記第４単位期間において、前記右眼用シャッターと左眼用シャッターとのうち前記第２画素で表示する画像に対応するシャッターを開状態とし、前記第１画素で表示する画像に対応するシャッターを閉状態とするように、
前記右眼用シャッター及び左眼用シャッターを制御する眼鏡制御回路を備える請求項１乃至３のうちいずれか１項に記載した液晶表示装置。
【請求項５】
請求項１乃至４のうちいずれか１項に記載した液晶表示装置を備えた電子機器。
【請求項６】
右眼用シャッターと左眼用シャッターとを含む立体視用眼鏡で立体視される右眼用画像及び左眼用画像を表示し、前記左眼用画像と前記右眼用画像とのうち一方を表示する第１画素と、左眼用画像と前記右眼用画像とのうち他方を表示する第２画素からなる複数の画素を備え、前記第１画素と前記第２画素とは、行方向又は列方向のうち少なくとも一方において交互に配置されている液晶表示装置の制御方法であって、
第１単位期間、第２単位期間、第３単位期間及び第４単位期間からなる１フレームにおいて、
前記第１単位期間及び前記第２単位期間において、前記第１画素に前記右眼用画像と前記左眼用画像とのうち一方の画像の階調に応じたデータ電位を書き込み、前記第２画素に所定の透過率に応じたデータ電位を書き込み、
前記第３単位期間及び前記第４単位期間において、前記第２画素に前記右眼用画像と前記左眼用画像とのうち他方の画像の階調に応じたデータ電位を書き込み、前記第１画素に前記所定の透過率に応じたデータ電位を書き込む、
ことを特徴とする液晶表示装置の制御方法。
【請求項７】
前記立体視用眼鏡の前記右眼用シャッター及び左眼用シャッターの開閉状態を制御する液晶表示装置の制御方法であって、
前記第１単位期間において、前記右眼用シャッターと左眼用シャッターとを閉状態とし、
前記第２単位期間において、前記右眼用シャッターと左眼用シャッターとのうち、前記第１画素で表示する画像に対応するシャッターを開状態とし、前記第２画素で表示する画像に対応するシャッターを閉状態とし、
前記第３単位期間において、前記右眼用シャッターと左眼用シャッターとを閉状態とし、
前記第４単位期間において、前記右眼用シャッターと左眼用シャッターとのうち前記第２画素で表示する画像に対応するシャッターを開状態とし、前記第１画素で表示する画像に対応するシャッターを閉状態とするように、
前記右眼用シャッター及び左眼用シャッターを制御する、
ことを特徴とする請求項６に記載の液晶表示装置の制御方法。
【発明の詳細な説明】
【技術分野】
【０００１】
本発明は、観察者が立体感を知覚するように相互に視差が付与された右眼用画像と左眼用画像とを表示する技術に関連する。
【背景技術】
【０００２】
液晶表示装置において、１フィールドを時間軸上で複数のサブフィールドに分割し、サブフィールドごと画素の輝度を２値で制御する技術が知られている（例えば、特許文献１）。このようなサブフィールド駆動では、１フィールド内のサブフィールド数が増加すると階調数を増加させることが可能となる。
【０００３】
また、液晶表示装置では、立体視が可能な表示機能を備えたものが普及しつつある。この液晶表示装置では、左眼用画像と右眼用画像とを時分割で交互に表示するフレームシーケンシャル方式を採用する立体視方法が従来から提案されている。右眼用画像及び左眼用画像の一方が他方に変化する期間では右眼用画像と左眼用画像とが混在するから、観察者が画像を視認すると明確な立体感を認識することが困難となる。このため、特許文献２には、右眼用画像及び左眼用画像の一方が他方に変化する期間（すなわち右眼用画像と左眼用画像とが混在する期間）において立体視用眼鏡の右眼用シャッター及び左眼用シャッターの双方を閉状態として観察者に画像を視認させない技術が開示されている。
【先行技術文献】
【特許文献】
【０００４】
【特許文献１】特開２００３−１１４６６１号公報
【０００５】
【特許文献２】特開２００９−２５４３６号公報
【発明の概要】
【発明が解決しようとする課題】
【０００６】
立体画像表示では、左眼用画像と右眼用画像とを時分割で交互に表示するため、平面画像表示と比較して、右眼用画像及び左眼用画像の各々を形成する時間が短くなる。このため、サブフィールド駆動を採用すると、サブフィールド数が減少し、階調性が低下するといった問題があった。
また、液晶は応答速度が遅いため、右眼用画像から左眼用画像に切り替えても透過率が変化するまでに一定の時間がかかる。特許文献２に記載されているアクティブシャッター方式を採用したとしても、各サブフィールドのオン・オフの状態によっては、前フレーム表示の影響を受けてクロストークが発生することがある。
さらに、サブフィールド駆動ではなく、表示階調に応じたアナログ電位を画素に書き込む通常駆動であっても、右眼用画像及び左眼用画像の各々を形成する時間が短くなることから、画素に書き込む電位に誤差が生じ、階調性が低下する。一方、右眼用画像及び左眼用画像の各々を形成する時間を長くすると、立体視用眼鏡の右眼用シャッター及び左眼用シャッターの双方を閉状態とする時間が短くなり、クロストークの抑制が低下するといった問題があった。
以上の事情を考慮して、本発明は、右眼用画像及び左眼用画像を表示する場合に、階調性を向上しつつ、クロストークを低減することを解決課題とする。
【課題を解決するための手段】
【０００７】
以上の課題を解決するために、本発明の液晶表示装置は、右眼用シャッターと左眼用シャッターとを含む立体視用眼鏡で立体視される右眼用画像及び左眼用画像を表示するものであって、複数の走査線と、前記複数の走査線に交差する複数のデータ線と、前記複数の走査線と前記複数のデータ線との各交差に対応して配置された複数の画素と、前記複数の走査線を選択して、前記複数のデータ線にデータ電位を供給する駆動回路とを備え、前記複数の画素の各々は、第１電極と、第２電極と、前記第１電極と前記第２電極との電位差によって駆動される液晶とを備え、前記複数の画素は、前記左眼用画像と前記右眼用画像とのうち一方を表示する第１画素と、前記左眼用画像と前記右眼用画像とのうち他方を表示する第２画素からなり、前記第１画素と前記第２画素とは、行方向又は列方向のうち少なくとも一方において交互に配置されており、前記駆動回路は、第１単位期間及び前記第１単位期間より後の第２単位期間において、前記複数のデータ線を介して前記第１画素に前記右眼用画像と前記左眼用画像とのうち一方の画像の階調に応じたデータ電位を書き込み、前記第２画素に所定の透過率に応じたデータ電位を書き込み、前記第２単位期間より後の第３単位期間及び前記第３単位期間より後の第４単位期間において、前記複数のデータ線を介して前記第２画素に前記右眼用画像と前記左眼用画像とのうち他方の画像の階調に応じたデータ電位を書き込み、前記第１画素に前記所定の透過率に応じたデータ電位を書き込む、ことを特徴とする。
【０００８】
この発明によれば、第１画素と第２画素とのうち一方に左眼用画像を割り当て、他方に右眼用画像を割り当てたので、左眼用画像及び右眼用画像の書き込みに伴う液晶の光学応答時間を長くできる。このため、表示画像の階調性を向上させることが可能となる。また、第１単位期間及び第２単位期間において、第２画素に所定の透過率に応じたデータ電位を書き込み、第３単位期間及び第４単位期間において、所定の透過率に応じたデータ電位を書き込むので、左眼用画像と右眼用画像との間のクロストークを大幅に低減することができる。なお、この発明において、データ電位は２値で書き込むサブフィールド駆動であってもよい。
【０００９】
上述した液晶表示装置において、前記第１画素と前記第２画素とは、行方向において交互に配置されており、且つ列方向において交互に配置されていることが好ましい。この発明によれば、第１画素は行方向及び列方向に第２画素と隣り合っており、第２画素は行方向及び列方向に第１画素と隣り合っている。したがって、各画素は画像を表示する場合、行方向及び列方向に隣り合う画素には所定の透過率のデータ電位が書き込まれているので、画像を表示する画素が、行方向及び列方向に隣り合う画素から受ける影響（ディスクリミネーション）を同程度にすることができる。よって、各画素で影響の差を無くすことができ、表示画像の品質を向上させることができる。
【００１０】
また、上述した液晶表示装置において、前記所定の透過率に応じたデータ電位は、黒を表示させる電位又は透過率５０％に相当する電位であることが好ましい。所定の透過率に応じたデータ電位を黒を表示させる電位に設定すれば、表示すべき階調がゼロの場合に若干黒よりも明るい画像が表示される黒浮きと呼ばれる現象を抑制することができる。所定の透過率に応じたデータ電位を透過率５０％に相当する電位に設定すれば、次の単位期間で表示すべき画像が白の場合、あるいは黒の場合でも、液晶の透過率を略同じ時間で目標とする透過率に遷移させることができる。よって、クロスロークをより一層低減することができる。
【００１１】
また、上述した液晶表示装置は、右眼用シャッターと左眼用シャッターとを含む立体視用眼鏡で立体視される右眼用画像及び左眼用画像を表示するものであって、前記第１単位期間において、前記右眼用シャッターと左眼用シャッターとを閉状態とし、前記第２単位期間において、前記右眼用シャッターと左眼用シャッターとのうち、前記第１画素で表示する画像に対応するシャッターを開状態とし、前記第２画素で表示する画像に対応するシャッターを閉状態とし、前記第３単位期間において、前記右眼用シャッターと左眼用シャッターとを閉状態とし、前記第４単位期間において、前記右眼用シャッターと左眼用シャッターとのうち前記第２画素で表示する画像に対応するシャッターを開状態とし、前記第１画素で表示する画像に対応するシャッターを閉状態とするように、前記右眼用シャッター及び左眼用シャッターを制御する眼鏡制御回路を備えることが好ましい。
この発明によれば、利用者は立体視用眼鏡を装着して、階調性に優れ、且つクロストークが抑制された高品質の立体画像を視認することができる。
【００１２】
次に、本発明に係る電子機器は、上述した液晶表示装置を備える。そのような電子機器としては、例えば、プロジェクター、テレビ、パーソナルコンピューター、及びカーナビなどが該当する。
【００１３】
また、本発明は、液晶表示装置の制御方法として捉えることができる。そのような液晶表示装置の制御方法は、右眼用シャッターと左眼用シャッターとを含む立体視用眼鏡で立体視される右眼用画像及び左眼用画像を表示し、前記左眼用画像と前記右眼用画像とのうち一方を表示する第１画素と、左眼用画像と前記右眼用画像とのうち他方を表示する第２画素からなる複数の画素を備え、前記第１画素と前記第２画素とは、行方向又は列方向のうち少なくとも一方において交互に配置されている液晶表示装置を制御する方法であって、第１単位期間、第２単位期間、第３単位期間及び第４単位期間からなる１フレームにおいて、前記第１単位期間及び前記第２単位期間において、前記第１画素に前記右眼用画像と前記左眼用画像とのうち一方の画像の階調に応じたデータ電位を書き込み、前記第２画素に所定の透過率に応じたデータ電位を書き込み、前記第３単位期間及び前記第４単位期間において、前記第２画素に前記右眼用画像と前記左眼用画像とのうち他方の画像の階調に応じたデータ電位を書き込み、前記第１画素に前記所定の透過率に応じたデータ電位を書き込むことを特徴とする。
【００１４】
さらに、上述した液晶表示装置の制御方法は、前記立体視用眼鏡の前記右眼用シャッター及び左眼用シャッターの開閉状態を制御するものであって、前記第１単位期間において、前記右眼用シャッターと左眼用シャッターとを閉状態とし、前記第２単位期間において、前記右眼用シャッターと左眼用シャッターとのうち、前記第１画素で表示する画像に対応するシャッターを開状態とし、前記第２画素で表示する画像に対応するシャッターを閉状態とし、前記第３単位期間において、前記右眼用シャッターと左眼用シャッターとを閉状態とし、前記第４単位期間において、前記右眼用シャッターと左眼用シャッターとのうち前記第２画素で表示する画像に対応するシャッターを開状態とし、前記第１画素で表示する画像に対応するシャッターを閉状態とするように、前記右眼用シャッター及び左眼用シャッターを制御する、ことが好ましい。
【図面の簡単な説明】
【００１５】
【図１】本発明の実施形態に係る立体視表示装置のブロック図である。
【図２】画素回路の回路図である。
【図３】同実施形態に係る第１画素と第２画素との配置を示す説明図である。
【図４】１フレームとサブフレームとの関係を示す説明図である。
【図５】立体視表示装置の動作の説明図である。
【図６】第２単位期間において利用者に視認される画像を示す説明図である。
【図７】第４単位期間において利用者に視認される画像を示す説明図である。
【図８】比較例の動作の説明図である。
【図９】変形例に係る第１画素と第２画素との配置を示す説明図である。
【図１０】変形例に係る第１画素と第２画素との配置を示す説明図である。
【図１１】変形例に係る書き込み動作を示す説明図である。
【図１２】電子機器（投射型表示装置）の斜視図である。
【図１３】電子機器（パーソナルコンピューター）の斜視図である。
【発明を実施するための形態】
【００１６】
＜実施形態＞
図１は、本発明の実施形態に係る立体視表示装置１００のブロック図である。立体視表示装置１００は、観察者に立体感を知覚させる立体視画像をアクティブシャッター方式で表示する電子機器であり、液晶表示装置１０と立体視用眼鏡２０とを具備する。液晶表示装置１０は、相互に視差が付与された右眼用画像ＧRと左眼用画像ＧLとを時分割で交互に表示する。
【００１７】
立体視用眼鏡２０は、液晶表示装置１０が表示する立体視画像の視認時に観察者が装着する眼鏡型の器具であり、観察者の右眼の前方に位置する右眼用シャッター２２と左眼の前方に位置する左眼用シャッター２４とを具備する。右眼用シャッター２２及び左眼用シャッター２４の各々は、照射光を透過させる開状態（透過状態）と照射光を遮断する閉状態（遮光状態）とに制御される。例えば印加電圧に応じて液晶の配向方向を変化させることで開状態及び閉状態の一方から他方に変化する液晶シャッターが右眼用シャッター２２及び左眼用シャッター２４として採用され得る。
【００１８】
図１の液晶表示装置１０は、電気光学パネル１２と制御回路１４とを具備する。電気光学パネル１２は、複数の画素（画素回路）ＰIXが配列された画素部３０と、各画素ＰIXを駆動する駆動回路４０とを含む。画素部３０には、ｘ方向に延在するＭ本の走査線３２と、ｘ方向に交差するｙ方向に延在するＮ本のデータ線３４とが形成される（Ｍ及びＮは２以上の自然数）。画素部３０内の複数の画素ＰIXは、走査線３２とデータ線３４との各交差に対応して縦Ｍ行×横Ｎ列の行列状に配列される。
【００１９】
図２は、各画素ＰIXの回路図である。図２に示すように、各画素ＰIXは、液晶素子ＣLと選択スイッチＳWとを含む。液晶素子ＣLは、相互に対向する画素電極６２（第１電極）及び共通電極６４（第２電極）と両電極間の液晶６６とで構成された電気光学素子である。画素電極６２と共通電極６４との間の印加電圧に応じて液晶６６の透過率（表示階調）が変化する。選択スイッチＳWは、走査線３２にゲートが接続されたＮチャネル型の薄膜トランジスターで構成され、液晶素子ＣLとデータ線３４との間に介在して両者の電気的な接続（導通／絶縁）を制御する。走査信号Ｙ[m]が選択電位に設定されることで第ｍ行の各画素ＰIXにおける選択スイッチＳWが同時にオン状態に遷移する。各画素ＰIX（液晶素子ＣL）は、選択スイッチＳWがオン状態に制御されたとき（すなわち走査線３２の選択時）のデータ線３４のデータ電位Ｘ[n]に応じた階調を表示する。なお、液晶素子ＣLに並列に補助容量を接続した構成も採用され得る。
【００２０】
本実施形態において、画素部３０に配置される複数の画素ＰIXは、左眼用画像ＧLを表示する第１画素Ａと右眼用画像ＧRを表示する第２画素Ｂとからなる。図３に第１画素Ａ及び第２画素Ｂの配置例を示す。この例では、第１画素Ａと第２画素Ｂとが行方向及び列方向に交互に配置されている。
【００２１】
図１に示す駆動回路４０は、走査線駆動回路４２とデータ線駆動回路４４とを具備する。走査線駆動回路４２は、各走査線３２に対応する走査信号Ｙ[1]〜Ｙ[M]の供給で各走査線３２を順次に選択する。走査信号Ｙ[m]（ｍ＝１〜Ｍ）が所定の選択電位に設定されることで第ｍ行の走査線３２が選択される。データ線駆動回路４４は、走査線駆動回路４２による走査線３２の選択に同期してＮ本のデータ線３４の各々にデータ電位Ｘ[1]〜Ｘ[N]を供給する。
【００２２】
本実施形態では、１枚の画像を表示するための１フレームは、第１単位期間Ｔ１、第２単位期間Ｔ２、第３単位期間Ｔ３、及び第４単位期間Ｔ４からなる。また、各単位期間Ｔ１〜Ｔ４は、１０個のサブフィールドＳＦ１〜ＳＦ１０からなる。図４に１フレームとサブフィールドＳＦ１〜ＳＦ１０との関係を示す。この例のサブフィールドＳＦ１〜ＳＦ１０は、時間的な重み付けがなされている。そして、サブフィールドＳＦ１〜ＳＦ１０の各々において、走査線駆動回路４２は、走査信号Ｙ[1]〜Ｙ[M]を選択電位に順次設定する。これにより、１水平走査期間１Ｈごとに走査線３２が選択され、選択された走査線３２の画素ＰIXにデータ電位Ｘ[1]〜Ｘ[N]が書き込まれる。データ電位Ｘ[1]〜Ｘ[N]は、透過率１００％を指定する第１電位と透過率０％を指定する第２電位である。なお、共通電極６４に供給される電位を基準としてデータ電位Ｘ[n] （ｎ＝１〜Ｎ）の極性は周期的に反転する。
【００２３】
図１に示す制御回路１４は、電気光学パネル１２を制御する表示制御回路１４２と、立体視用眼鏡２０を制御する眼鏡制御回路１４４を具備する。なお、表示制御回路１４２と眼鏡制御回路１４４とを単体の集積回路に搭載した構成や、表示制御回路１４２と眼鏡制御回路１４４とを別体の集積回路に分散した構成が採用され得る。
表示制御回路１４２には、各画素ＰIXの階調を指定する表示データＶ（右眼用表示データＶR，左眼用表示データＶL）が、外部回路から供給される。表示制御回路１４２は、表示データＶに基づいて、各サブフィールドＳＦ１〜ＳＦ１０において第１電位とするか第２電位とするかを指定するコードに変換し、変換されたコードを示す画像データＧを生成する。
また、表示制御回路１４２は、相互に視差が付与された右眼用画像ＧRと左眼用画像ＧLとが時分割で画素部３０に表示されるように駆動回路４０を制御する。
【００２４】
具体的には、表示制御回路１４２は、駆動回路４０が以下の動作を実行するように駆動回路４０を制御する。図５は、液晶表示装置１０の動作の説明図である。１枚の画像を表示するための１フレームは、第１単位期間Ｔ１、第２単位期間Ｔ２、第３単位期間Ｔ３、及び第４単位期間Ｔ４からなる。
【００２５】
まず、第１単位期間Ｔ１では、第１画素Ａに左眼用画像ＧLが表示され、第２画素Ｂに黒が表示される。第２単位期間Ｔ２においても第１単位期間Ｔ１と同様に第１画素Ａに左眼用画像ＧLが表示され、第２画素Ｂに黒が表示される。但し、第１単位期間Ｔ１と第２単位期間Ｔ２とでは、データ電位Ｘ[n]の極性が反転する。共通電極６４の電位を基準電位としたとき、画素電極６２の電位が高くなる場合を正極性［+］、画素電極６２の電位が低くなる場合を負極性［-］とすると、第１単位期間Ｔ１では正極性［+］のデータ電位Ｘ[n]を書き込み、第２単位期間Ｔ２では負極性［-］のデータ電位Ｘ[n]を書き込む。
【００２６】
次に、第３単位期間Ｔ３では、第２画素Ｂに右眼用画像ＧRが表示され、第１画素Ａに黒が表示される。第４単位期間Ｔ４においても第３単位期間Ｔ３と同様に第２画素Ｂに右眼用画像ＧRが表示され、第１画素Ａに黒が表示される。但し、第３単位期間Ｔ３では正極性［+］のデータ電位Ｘ[n]を書き込み、第４単位期間Ｔ４では負極性［-］のデータ電位Ｘ[n]を書き込む。これにより、第３単位期間Ｔ３と第４単位期間Ｔ４とでは、データ電位Ｘ[n]の極性が反転する。
ここで、第１画素Ａで表示すべき左眼用画像ＧL及び第２画素Ｂで表示すべき右眼用画像ＧRが白である場合、第１画素Ａの光学応答及び第２画素Ｂの光学応答は同図に示すものとなる。
【００２７】
すなわち、第１画素Ａの透過率は、第１単位期間Ｔ１から第２単位期間Ｔ２にかけて次第に増加し１００％に漸近する。第１単位期間Ｔ１と比較して第２単位期間Ｔ２の方が透過率１００％に近づく。このため、第１単位期間Ｔ１では左眼用シャッター２４を閉状態とする一方、第２単位期間Ｔ２において左眼用シャッター２４を開状態とする。この際、利用者は、左眼用シャッター２４を介して図６に示す画像を見ることになる。但し、同図に示す「Ｌ」は左眼用画像ＧLである。この場合、利用者は図５に示す面積Ｓｘ１に応じた階調を認識する。
【００２８】
また、第２画素Ｂの透過率は、第３単位期間Ｔ３から第４単位期間Ｔ４にかけて次第に増加し１００％に漸近する。第３単位期間Ｔ３と比較して第４単位期間Ｔ４の方が透過率１００％に近づく。このため、第３単位期間Ｔ３では右眼用シャッター２２を閉状態とする一方、第４単位期間Ｔ４において右眼用シャッター２２を開状態とする。この際、利用者は、右眼用シャッター２２を介して図７に示す画像を見ることになる。但し、同図に示す「Ｒ」は右眼用画像ＧRである。この場合、利用者は図５に示す面積Ｓｘ２に応じた階調を認識する。
【００２９】
本実施形態では、左眼用画像ＧLを表示する第１画素Ａと右眼用画像ＧRを表示する第２画素Ｂとによって画素部３０に配置される複数の画素ＰIXを構成したが、仮に、画素部３０に配置される複数の画素ＰIXの全てにおいて左眼用画像ＧLと右眼用画像ＧRとを交互に表示する態様を比較例とすれば、比較例の動作は図８に示すものとなる。
【００３０】
比較例では、第１単位期間Ｔ１において全ての画素ＰIXで左眼用画像ＧLを表示し、第２単位期間Ｔ２において黒を表示し、第３単位期間Ｔ３において全ての画素ＰIXで右眼用画像ＧRを表示し、第４単位期間Ｔ４において黒を表示する。また、第１単位期間Ｔ１及び第２単位期間Ｔ２においてデータ電位Ｘ[n]の極性が正極性［+］となり、第３単位期間Ｔ３及び第４単位期間Ｔ４においてデータ電位Ｘ[n]の極性が負極性［-］となる。そして、第１単位期間Ｔ１及び第３単位期間Ｔ３において光学応答の面積Ｓｙに応じた階調を人は認識する。
【００３１】
比較例では、光学特性が十分に立ち上がらない状態でシャッターが開状態となるが、本実施形態では、比較例の２倍の時間をかけて光学特性が目標とする透過率に漸近した状態でシャッターが開状態となるので、階調特性を大幅に向上させることができる。
また、本実施形態では黒画像を表示する時間が比較例の２倍となるので、図５に示す第２単位期間Ｔ２においては第２画素Ｂが十分黒となり、第４単位期間Ｔ４においては第１画素Ａが十分黒となる。したがって、左眼用画像ＧLと右眼用画像ＧRとの干渉によるクロストークを大幅に低減することができる。
また、本実施形態は極性反転の周期を比較例の半分にすることができるので、比較例と比べてフリッカーを大幅に低減することができる。
【００３２】
さらに、第１単位期間Ｔ１及び第２単位期間Ｔ２において、第１画素Ａに黒に相当する電位を書き込み、第３単位期間Ｔ３及び第４単位期間Ｔ４において、第２画素Ｂに黒に相当する電位を書き込んだので、表示すべき階調がゼロの場合に若干黒よりも明るい画像が表示される黒浮きと呼ばれる現象を抑制することができる。
【００３３】
くわえて、第１画素Ａと第２画素Ｂとを行方向及び列方向に交互に配置したので、第１画素Ａは上下左右に第２画素Ｂと隣り合い、第２画素Ａは上下左右に第１画素Ｂと隣り合う。ある画素ＰIXの液晶は、隣り合う画素ＰIXの液晶分子の状態の影響を受けるが、本実施形態によれば、第１画素Ａが左眼用画像ＧLを表示する第１単位期間Ｔ１及び第２単位期間Ｔ２では、上下左右に第２画素Ｂが黒を表示するので、各第１画素Ａが第２画素Ｂから受ける影響は、同程度であり差がない。また、第２画素Ｂが右眼用画像ＧRを表示する第３単位期間Ｔ３及び第４単位期間Ｔ４では、上下左右に第１画素Ａが黒を表示するので、各第２画素Ｂが第１画素Ｂから受ける影響は、同程度であり差がない。よって、隣り合う画素ＰIXの液晶分子の状態の影響を受けても、画面全体において影響の差が目立たなくなる。
【００３４】
＜変形例＞                                                      
以上の各形態は多様に変形され得る。具体的な変形の態様を以下に例示する。以下の例示から任意に選択された２以上の態様は、相互に矛盾しない範囲内で適宜に併合され得る。
【００３５】
（１）変形例１
上述した実施形態では、左眼用画像ＧLを表示する第１画素Ａと右眼用画像ＧRを表示する第２画素Ｂとが行方向及び列方向に交互に配置したが、本発明はこれに限定されるものでなく、画素部３０に第１画素Ａと第２画素Ｂとが分散されて配置されていればよい。例えば、図９に示すように行方向に第１画素Ａと第２画素Ｂとを並べ、第１画素Ａと第２画素Ｂとを列方向に交互に配置してもよい。また、図１０に示すように第１画素Ａと第２画素Ｂとを列方向に並べ、第１画素Ａと第２画素Ｂとを行方向に交互に配置してもよい。このように第１画素Ａと第２画素Ｂとを列方向又は行方向に交互に配置すると、黒表示による配向不良の影響が２方向からのみとなるため、表示が明るくなるといった利点がある。
さらに、第１画素Ａで右眼用画像ＧRを表示し、第２画素Ｂで左眼用画像ＧLを表示してもよい。
【００３６】
（２）変形例２
上述した実施形態及び変形例では、サブフィールド駆動（デジタル駆動）によって２値のデータ電位Ｘ[n]を画素ＰIXに書き込んだが、本発明はこれに限定されるものではなく、アナログ電位を書き込むアナログ駆動を採用してもよいことは勿論である。
この場合、図１１に示すように各単位期間Ｔ１〜Ｔ４において、走査信号Ｙ[1]〜Ｙ[M]を選択電位に順次設定する。これにより、表示すべき階調に応じたデータ電位Ｘ[n]が画素ＰIXに書き込まれる。
【００３７】
（３）変形例３
上述した実施形態及び変形例では、第１単位期間Ｔ１及び第２単位期間Ｔ２において、第１画素Ａに黒に相当する電位を書き込み、第３単位期間Ｔ３及び第４単位期間Ｔ４において、第２画素Ｂに黒に相当する電位を書き込んだが、本発明はこれに限定されるものではなく、所定の透過率に応じた電位を書き込んでもよい。例えば、透過率５０％に相当する電位を書き込むことにより、次の単位期間で表示すべき画像が白の場合、あるいは黒の場合でも、液晶の透過率を略同じ時間で目標とする透過率に遷移させることができる。
【００３８】
（４）変形例４
上述した実施形態及び変形例では、第１単位期間Ｔ１及び第３単位期間Ｔ３におけるデータ電位Ｘ[n]の極性を正極性［+］とし、第２単位期間Ｔ２及び第４単位期間Ｔ４におけるデータ電位Ｘ[n]の極性を負極性［-］としたが、本発明はこれに限定されるものではなく、極性は適宜設定してもよい。但し、交流駆動を考慮すると、第１単位期間Ｔ１から第２単位期間Ｔ２へ遷移するタイミング、及び第３単位期間Ｔ３から第４単位期間Ｔ４へ遷移するタイミングでデータ電位Ｘ[n]の極性を反転させることが好ましい。
【００３９】
＜応用例＞
以上の各形態に例示した液晶表示装置１０は、各種の電子機器に利用され得る。図１２は、液晶表示装置１０を適用した投射型表示装置（３板式のプロジェクター）４０００の模式図である。投射型表示装置４０００は、相異なる表示色（赤色，緑色，青色）に対応する３個の液晶表示装置１０（１０R，１０G，１０B）を含んで構成される。照明光学系４００１は、照明装置（光源）４００２からの出射光のうち赤色成分ｒを液晶表示装置１０Rに供給し、緑色成分ｇを液晶表示装置１０Gに供給し、青色成分ｂを液晶表示装置１０Bに供給する。各液晶表示装置１０は、照明光学系４００１から供給される各単色光を表示画像に応じて変調する光変調器（ライトバルブ）として機能する。投射光学系４００３は、各液晶表示装置１０からの出射光を合成して投射面４００４に投射する。観察者は、投射面４００４に投射された立体視画像を立体視用眼鏡２０（図１２では図示略）で視認する。
【００４０】
図１３は、液晶表示装置１０を採用した可搬型のパーソナルコンピューターの斜視図である。パーソナルコンピューター２０００は、各種の画像を表示する液晶表示装置１０と、電源スイッチ２００１やキーボード２００２が設置された本体部２０１０とを具備する。
【００４１】
なお、本発明に係る液晶表示装置が適用される電子機器としては、図１２及び図１３に例示した機器のほか、携帯情報端末（ＰＤＡ：Personal Digital Assistants），デジタルスチルカメラ，テレビ，ビデオカメラ，カーナビゲーション装置，車載用の表示器（インパネ）を備えた機器等などが挙げられる。
【符号の説明】
【００４２】
１００…立体視表示装置、１０…液晶表示装置、１２…電気光学パネル、１４…制御回路、２０…立体視用眼鏡、２２…右眼用シャッター、２４…左眼用シャッター、３０…画素部、ＰIX…画素、Ａ…第１画素、Ｂ…第２画素、ＣL…液晶素子、３２…走査線、３４…データ線、４０…駆動回路、４２…走査線駆動回路、４４…データ線駆動回路、１４２…表示制御回路、１４４…眼鏡制御回路、Ｔ１〜Ｔ４…第１乃至第４単位期間。
【図１】
2014048552.tif 000003
【図２】
2014048552.tif 000004
【図３】
2014048552.tif 000005
【図４】
2014048552.tif 000006
【図５】
2014048552.tif 000007
【図６】
2014048552.tif 000008
【図７】
2014048552.tif 000009
【図８】
2014048552.tif 000010
【図９】
2014048552.tif 000011
【図１０】
2014048552.tif 000012
【図１１】
2014048552.tif 000013
【図１２】
2014048552.tif 000014
【図１３】
2014048552.tif 000015